(57)【要約】【課題】可視光通信を行いながらも使用者にとって違和感のない照明環境を提供する。【解決手段】照明器具１において、調光制御部１４が調光発振部１４１，１４２に対して、電源１２，１３からの直流電流に調光信号を重畳してパルス状の電流とし、このパルス状の電流を信号発振部１５０，１５１に出力するように制御する。発振周期制御部１６が可視光通信時に情報信号を入力し、この情報信号に基づいた電流パターンを、スイッチ部１５が入力した調光確認信号に応じて、調光率の高い側の信号発振部１５０（１５１）に出力することによって、信号発振部１５０（１５１）に対してパルス状の電流に電流パターンを重畳し、電流パターンを重畳したパルス状の電流を白色光源１０（電球色光源１１）に出力するように制御する。そして、調光率の高い白色光源１０（電球色光源１１）が、信号発振部１５０（１５１）からのパルス状の電流に基づいて点灯及び消灯を行う。【選択図】図１
2008034989.tif 000002
【特許請求の範囲】
【請求項１】
それぞれが互いに異なる色温度であって最大光出力が同じ大きさである可視光を放射する複数の光源と、
前記複数の光源のそれぞれに対し、前記最大光出力に対する前記可視光の光出力の比率である調光率を制御する調光制御手段と、
前記複数の光源のうち前記調光率の最も高い光源のみに対し送信情報に基づいて点灯及び消灯を制御する点灯制御手段と
を備えることを特徴とする照明器具。
【請求項２】
前記点灯制御手段の出力側に設けられ当該点灯制御手段が前記調光率の最も高い光源と電気的に接続するように切り替える切替手段を備える
ことを特徴とする請求項１記載の照明器具。
【請求項３】
前記調光制御手段、前記点灯制御手段及び前記切替手段が１つのユニットで構成されることを特徴とする請求項２記載の照明器具。
【請求項４】
前記複数の光源が、
青色光を放射する青色発光ダイオードと、前記青色光によって励起され当該青色光と混合して白色光を形成する光を放射する第１の蛍光体とを有する白色光源と、
青色光を放射する青色発光ダイオードと、前記青色光によって励起され当該青色光と混合して電球色の光を形成する光を放射する第２の蛍光体とを有する電球色光源と
の２種類の光源からなることを特徴とする請求項１〜３のいずれか記載の照明器具。
【請求項５】
請求項１〜４のいずれか記載の照明器具と、
前記照明器具からの可視光を受光して送信情報を受信する受信機と
を備えることを特徴とする照明システム。
【発明の詳細な説明】
【技術分野】
【０００１】
本発明は、照明用の可視光を用いて通信を行う照明器具及び照明システムに関するものである。
【背景技術】
【０００２】
従来、照明用の可視光を用いて通信を行う照明システムは、特許文献１に開示されているように、ＬＥＤ照明灯（照明器具）と、受光器（受信機）とを備える。ＬＥＤ照明灯は、赤色光、緑色光及び青色光の３原色の光を用いて白色発光する３原色ＬＥＤ光源からのそれぞれの発光を、独立した情報（送信情報）に基づいて変調することで波長多重通信（可視光通信）を行う。この場合、識別波形は、各ＬＥＤ（発光ダイオード）の発光色である原色に対応した固有の波形であり、各ＬＥＤは、個々の波形に信号波形が重畳された電流の供給によって点灯する。一方、受光器は、各ＬＥＤからの光が重畳された光を受光し、ダイクロイックミラーを用いた波長弁別器によって、受光した光を赤色光、緑色光及び青色光に選別し、それぞれの光に含まれている情報を復調する。
【特許文献１】特開２００２−２９０３３５号公報（段落０００６〜００１６及び第３図）
【発明の開示】
【発明が解決しようとする課題】
【０００３】
しかしながら、上記従来の照明システムには、可視光通信時に各発光ダイオードが独立した送信情報に基づいて点灯することから、各発光ダイオードが重複して点灯したり消灯したりすることがあり、照明器具として使用した場合に演色性が悪化する可能性が高くなるという問題があった。
【０００４】
本発明は上記の点に鑑みて為されたものであり、その目的とするところは、可視光通信を行いながらも使用者にとって違和感のない照明環境を提供することができる照明器具及び照明システムを提供することにある。
【課題を解決するための手段】
【０００５】
請求項１に記載の照明器具の発明は、それぞれが互いに異なる色温度であって最大光出力が同じ大きさである可視光を放射する複数の光源と、前記複数の光源のそれぞれに対し、前記最大光出力に対する前記可視光の光出力の比率である調光率を制御する調光制御手段と、前記複数の光源のうち前記調光率の最も高い光源のみに対し送信情報に基づいて点灯及び消灯を制御する点灯制御手段とを備えることを特徴とする。
【０００６】
請求項２に記載の照明器具の発明は、請求項１に記載の発明において、前記点灯制御手段の出力側に設けられ当該点灯制御手段が前記調光率の最も高い光源と電気的に接続するように切り替える切替手段を備えることを特徴とする。
【０００７】
請求項３に記載の照明器具の発明は、請求項２に記載の発明において、前記調光制御手段、前記点灯制御手段及び前記切替手段が１つのユニットで構成されることを特徴とする。
【０００８】
請求項４に記載の照明器具の発明は、請求項１〜３のいずれかに記載の発明において、前記複数の光源が、青色光を放射する青色発光ダイオードと、前記青色光によって励起され当該青色光と混合して白色光を形成する光を放射する第１の蛍光体とを有する白色光源と、青色光を放射する青色発光ダイオードと、前記青色光によって励起され当該青色光と混合して電球色の光を形成する光を放射する第２の蛍光体とを有する電球色光源との２種類の光源からなることを特徴とする。
【０００９】
請求項５に記載の照明システムの発明は、請求項１〜４のいずれかに記載の照明器具と、前記照明器具からの可視光を受光して送信情報を受信する受信機とを備えることを特徴とする。
【発明の効果】
【００１０】
請求項１に記載の発明によれば、送信情報を送信する可視光通信時に、複数の光源のうち可視光の光出力の最も大きな光源を用いて可視光通信を行うことによって、可視光通信時と非通信時との間で可視光の光出力の変化を使用者に感じにくくさせることができるので、可視光通信を行いながらも使用者にとって違和感のない照明環境を提供することができる。
【００１１】
請求項２に記載の発明によれば、複数の光源が点灯制御手段を共有することができるので、点灯制御手段を構成するハードウェアの簡易化を図ることができる。
【００１２】
請求項３に記載の発明によれば、調光制御手段、点灯制御手段及び切替手段を１つのユニットで構成することができるので、点灯制御手段だけでなく調光制御手段及び切替手段を構成するハードウェアの簡易化を図ることができる。
【００１３】
請求項４に記載の発明によれば、２種類の光源の両方が青色発光ダイオードからの青色光の光スペクトルを有するので、青色光の光スペクトルに高い受光感度を持つ受信機によって、互いに異なる色温度の可視光を放射する光源の両方に対応することができる。また、受信機を多くの光スペクトルに対応させる必要がないので、受信機の構成を簡単にすることができる。
【００１４】
請求項５に記載の発明によれば、照明器具において、送信情報を送信する可視光通信時に、複数の光源のうち可視光の光出力の最も大きな光源を用いて可視光通信を行うことによって、可視光通信時と非通信時との間で可視光の光出力の変化を使用者に感じにくくさせることができるので、可視光通信を行いながらも使用者にとって違和感のない照明環境を提供することができる。
【発明を実施するための最良の形態】
【００１５】
（実施形態１）
本発明の実施形態１について図１〜５を用いて説明する。図１は、実施形態１に係る照明器具の構成を示すブロック図である。図２は、実施形態１に係る受信機の構成を示すブロック図である。図３は、実施形態１に係る照明器具を流れる電流の波形図である。図４は、実施形態１に係る照明器具を流れる電流波形図、及び調光率と光出力の関係を示す図である。図５は、実施形態１の動作を説明する図である。
【００１６】
まず、実施形態１となる照明システムの構成について説明する。この照明システムは、照明用の可視光を用いて通信を行うものであり、図１に示すような照明器具１と、図２に示すような受信機２とを備えている。
【００１７】
照明器具１は、図１に示すように、白色光源１０と、電球色光源１１と、２つの電源１２，１３と、調光制御部１４と、スイッチ部１５と、発振周期制御部１６とを備えている。
【００１８】
白色光源１０は、青色光を放射する青色発光ダイオードと、青色光の放射方向に設けられた第１の色変換部材とを組み合わせた構成を複数備える。電球色光源１１は、青色光を放射する青色発光ダイオードと、青色光の放射方向に設けられた第２の色変換部材とを組み合わせた構成を複数備える。
【００１９】
第１の色変換部材及び第２の色変換部材は、透明材料及び蛍光体の混合物で形成されたものである。透明材料は、例えばシリコーン樹脂やアクリル樹脂、エポキシ樹脂、ガラスなどである。蛍光体は、例えばＹＡＧ（イットリウムアルミニウムガーネット）系などの粒子状の黄色蛍光体であり、青色発光ダイオードからの青色光によって励起され、青色光とは異なる色であるブロードな黄色系の光を放射する。この蛍光体が透明材料に少なめに混合されていると白色光となり、蛍光体が多めに混合されていると電球色の光となる。したがって、上記の蛍光体は、第１の色変換部材よりも第２の色変換部材に多く含まれている。
【００２０】
上記より、白色光源１０は、青色発光ダイオードからの青色光とブロードな黄色系の光との混合によって形成された白色光を外部に放射する。また、電球色光源１１は、青色発光ダイオードからの青色光とブロードな黄色系の光との混合によって形成された電球色の光を、白色光源１０からの白色光と同じ最大光出力で外部に放射する。白色光の色温度は３２００Ｋ〜５４００Ｋであり、白色の範囲だけでなく昼白色や温白色の範囲も含む。この中で、より好ましい範囲は３９００Ｋ〜４５００Ｋである。一方、電球色の光の色温度は２６００Ｋ〜３１５０Ｋである。したがって、白色光源１０及び電球色光源１１は、それぞれ互いに異なる色温度であって最大光出力が同じ大きさである可視光を放射することになる。なお、「最大光出力が同じ大きさ」の範囲は、完全に大きさが一致する場合だけでなく、最大光出力が異なる大きさのものであっても、後述で設定される調光率の高い光源の光出力を調光率の低い光源より大きくすることが可能な範囲も含む。
【００２１】
電源１２は白色光源用のものであり、電源１３は電球色光源用のものである。電源１２（１３）は入力側から順に、整流平滑部１２０（１３０）と、定電流部１２１（１３１）とを備え、入力側で交流電源３と接続し、出力側で後述の調光発振部１４１（１４２）と接続している。交流電源３は例えば商用電源などである。整流平滑部１２０（１３０）は例えばダイオードブリッジ回路などで構成され、交流電源３からの交流電流を整流し、平滑して定電流部１２１（１３１）に出力する。定電流部１２１（１３１）は例えばシャントレギュレータ又はカレントミラー回路などで構成され、整流平滑部１２０（１３０）からの電流の大きさを一定にし、一定の大きさの直流電流Ｉ１（図３（ａ）参照）を調光発振部１４１（１４２）に出力する。
【００２２】
調光制御部１４は例えばマイコンなどのＩＣで構成され、入力側でリモコン用信号受信部１４０と接続し、出力側で２つの調光発振部１４１，１４２、スイッチ部１５及び発振周期制御部１６と接続している。リモコン用信号受信部１４０は、赤外線送信リモコン４からの調光命令を赤外線信号として受信する。調光命令は調光対象の光源（白色光源１０又は電球色光源１１）及び後述の調光率を定めた内容を有する。調光発振部１４１（１４２）は、例えば電解効果トランジスタ（ＦＥＴ）やバイポーラトランジスタなどの半導体スイッチング素子を含んで構成され、入力側で電源１２（１３）及び調光制御部１４と接続し、出力側で後述の信号発振部１５０（１５１）と接続している。この調光発振部１４１（１４２）は、調光制御部１４からの調光信号の周波数（例えば１ｋＨｚ）に対応可能であり、この調光信号を応答するのに必要な応答性を有している。
【００２３】
上記の調光制御部１４はリモコン用信号受信部１４０からの調光命令を解析し、解析した調光命令に基づいて、白色光源１０及び電球色光源１１のそれぞれに対し、最大光出力に対する可視光の光出力の比率である調光率（デューティ比）を制御する。具体的には、調光制御部１４は調光発振部１４１，１４２のそれぞれに対して、独立して調光命令に基づいた調光信号を電源１２，１３からの直流電流に重畳してパルス状の電流Ｉ２（図３（ｂ）参照）とし、このパルス状の電流Ｉ２を後述の信号発振部１５０，１５１に出力するように制御することによって、白色光源１０及び電球色光源１１のそれぞれを独立に調光する。照明器具１は上記のように白色光源１０及び電球色光源１１を調光制御することによって、白色から電球色までの間で色温度を調整することができる。
【００２４】
また、調光制御部１４は、調光発振部１４１，１４２に出力する調光信号と同様のＰＷＭ信号を発振周期制御部１６に出力する。ただし、このＰＷＭ信号の振幅は電流Ｉ２より非常に小さいものである。調光制御部１４が発振周期制御部１６に上記ＰＷＭ信号を出力することによって発振周期制御部１６と同期を取ることができるので、後述の信号発振部１５０，１５１において調光発振部１４１，１４２からの電流Ｉ２と後述の発振周期制御部１６からの信号との同期を取ることができる。さらに、調光制御部１４は、白色光源１０及び電球色光源１１の調光率の大小に関する情報を含む調光確認信号をスイッチ部１５に出力して、スイッチ部１５を制御する。
【００２５】
スイッチ部１５は例えば半導体スイッチなどで構成され、入力側で調光制御部１４及び発振周期制御部１６と接続し、出力側で２つの信号発振部１５０，１５１と接続している。信号発振部１５０（１５１）は、例えば電解効果トランジスタ（ＦＥＴ）やバイポーラトランジスタなどの半導体スイッチング素子を含んで構成され、入力側で調光発振部１４１（１４２）と接続し、出力側で白色光源１０（電球色光源１１）と接続している。この信号発振部１５０（１５１）は、可視光通信を行う送信信号の周波数に対応可能であり、この送信信号を応答するのに必要な応答性を有している。実施形態１では調光信号の周波数以上の周波数（例えば１００ｋＨｚ）に対応可能である。
【００２６】
上記のスイッチ部１５は、調光制御部１４からの調光確認信号に基づいて、白色光源１０及び電球色光源１１のうち調光率の高い光源と発振周期制御部１６とが電気的に接続するように切り替える切替手段である。つまり、スイッチ部１５は、調光制御部１４からの調光確認信号に基づいて、白色光源１０及び電球色光源１１のうち調光率の高い光源と接続している信号発振部１５０，１５１との接続をオンにする。
【００２７】
発振周期制御部１６は入力側で調光制御部１４及び可視光通信用信号受信部１６０と接続し、出力側でスイッチ部１５と接続している。可視光通信用信号受信部１６０は情報信号を外部機器５から受信し、受信した情報信号を発振周期制御部１６に出力する。外部機器５は例えば制御機器などであるが、上記に限定されるものではなく用途に応じて適宜設定される。情報信号には、受信機２に送信する情報である送信情報が含まれている。また、情報信号は、「１」と「０」の比率が同じパルス状のものが一定の通信頻度で繰り返された信号であったり、「１」と「０」の比率及び通信頻度がさまざまな組み合わせとなる信号であったりする。この情報信号を入力するときに用いられる通信方式は、規格化された一般的なものが多く、例えばＲＳ４８５などの１対複数の通信方式である。
【００２８】
上記の発振周期制御部１６は、白色光源１０及び電球色光源１１のうち調光率の高い光源のみに対し、可視光通信用信号受信部１６０から入力した情報信号に基づいて点灯及び消灯を制御する点灯制御手段である。具体的には、発振周期制御部１６は、受信した情報信号を調光制御部１４からのＰＷＭ信号に重畳し、その後、スイッチ部１５との接続がオンにされた側の信号発振部１５０（１５１）に対して、重畳した信号の電流パターンを調光発振部１４１（１４２）からのパルス状の電流Ｉ２（図３（ｂ）参照）に重畳し、重畳したパルス状の電流Ｉ３（図３（ｃ）参照）を白色光源１０（電球色光源１１）に出力するように制御することによって、白色光源１０（電球色光源１１）の点灯及び消灯を情報信号に基づいて制御する。これに対して、スイッチ部１５との接続がオフのままである信号発振部１５１（１５０）は調光発振部１４２（１４１）からのパルス状の電流Ｉ２をそのまま電球色光源１１（白色光源１０）に出力する（図３（ｄ）参照）。
【００２９】
ここで、調光率の高い光源に流れる電流に信号を重畳する場合（図４（ａ）参照）と調光率の低い光源に流れる電流に信号を重畳する場合（図４（ｂ）参照）とでは、どちらも同じ可視光通信時に同じ時間だけ光源が消灯する（図４（ａ）の「ｔａ１〜ｔａ２，ｔａ４〜ｔａ５，ｔａ７〜ｔａ８，ｔａ１０〜ｔａ１１，ｔａ１３〜ｔａ１４」、図４（ｂ）の「ｔｂ１〜ｔｂ２，ｔｂ４〜ｔｂ５，ｔｂ７〜ｔｂ８，ｔｂ１０〜ｔｂ１１，ｔｂ１３〜ｔｂ１４」）。これにより、可視光通信時において、図４（ｃ）に示すように、光源が消灯した分だけ非通信時より光出力の低下が生じる。ウェーバーの法則によると、光出力の低下が一定である場合、人間の視間隔では光出力の高い場合よりも光出力の低い場合のほうが光出力の変化を感じやすくなる。つまり、調光率の高い場合よりも低い場合のほうが光出力の変化を感じやすくなる。したがって、調光率の高い光源で可視光通信を行うことで、可視光通信時と非通信時の間における光出力の変化を感じにくくすることができる。例えば、調光率１００％の場合では、非通信時の光出力に対する可視光通信時の低下分の割合が小さいので、使用者が光出力の変化に気付きにくい。これに対して、調光率２０％の場合では、非通信時の光出力に対する可視光通信時の低下分の割合が大きいので、使用者が光出力の変化に気付きやすくなる。
【００３０】
受信機２は、図２に示すように、入力側から順に、受光部２０と、増幅部２１と、バンドパスフィルタ２２と、判断部２３と、表示部２４とを備えている。受光部２０は、例えばフォトダイオードなどの光電変換素子（図示せず）と、例えば抵抗などの回路素子（図示せず）とを備え、白色光源１０及び電球色光源１１（図１参照）からの可視光を受光する。白色光源１０及び電球色光源１１がともに青色発光ダイオードと蛍光体とを組み合わせた構成であるので、受光部２０は、青色光に高い感度を持つ光電変換素子を備えている。これにより、白色光源１０及び電球色光源１１の両方からの光を受光することができる。また、この受光部２０は、受光した可視光に含まれる送信信号（送信情報を含む）を電気信号に変換し、この電気信号を増幅部２１に出力する。
【００３１】
増幅部２１は例えばオペアンプなどで構成され、受光部２０からの電気信号を増幅してバンドパスフィルタ２２に出力する。バンドパスフィルタ２２は、例えばオペアンプなどで構成される汎用のものであり、増幅部２１で増幅された電気信号の周波数の差を検出しやすくする。判断部２３は例えばマイコンなどで構成され、バンドパスフィルタ２２からのデジタル信号を、予め設定された通信速度で受信データに復調し、復調した受信データを表示部２４に出力する。表示部２４は例えば液晶表示パネルなどの汎用のものであり、判断部２３で復調された受信データの内容（送信情報）を表示する。
【００３２】
次に、実施形態１の照明器具１の動作について図１を用いて説明する。まず、電源１２，１３が交流電源３から交流電流を入力し、入力した交流電流を直流電流に変換し、変換した直流電流を調光発振部１４１，１４２に出力する。続いて、調光制御部１４が調光発振部１４１，１４２に対して、赤外線送信リモコン４からの調光命令に基づいた調光信号を電源１２，１３からの直流電流に重畳してパルス状の電流とし、このパルス状の電流を信号発振部１５０，１５１に出力するように制御する。また、調光制御部１４が調光確認信号をスイッチ部１５に出力する。
【００３３】
続いて、外部機器５からの情報信号の入力がない非通信時である場合、白色光源１０及び電球色光源１１が、調光発振部１４１，１４２から信号発振部１５０，１５１を介して供給されるパルス状の電流によって点灯したり消灯したりする。これに対して、外部機器５からの情報信号の入力がある可視光通信時である場合、可視光通信用信号受信部１６０が外部機器５から情報信号を受信する。その後、発振周期制御部１６が可視光通信用信号受信部１６０から情報信号を入力し、スイッチ部１５が入力した調光確認信号の情報に応じて、情報信号に基づいた電流パターンを調光率の高い側の信号発振部１５０（１５１）に出力することによって、信号発振部１５０（１５１）に対して調光発振部１４１（１４２）からのパルス状の電流に電流パターンを重畳し、電流パターンを重畳したパルス状の電流を白色光源１０（電球色光源１１）に出力するように制御する。そして、調光率の高い白色光源１０（電球色光源１１）が、信号発振部１５０（１５１）からのパルス状の電流に基づいて点灯及び消灯を行う。
【００３４】
次に、実施形態１の動作について、図５に示すように照明器具１が室内空間６の上方に設置され、受信機２が室内空間６の下方に位置している場合を説明する。なお、図５は、実施形態１の照明システムの動作を説明しやすいように白色光６０と電球色の光６１とが室内空間６の別領域を照射している図になっているが、実際は白色光６０と電球色の光６１とが混合して室内空間６の同じ領域を照射している。
【００３５】
まず、図５（ａ）に示すように白色光源１０（図１参照）からの白色光６０のみが放射されている場合、照明器具１が白色光６０を用いて、送信情報を含む送信信号を送信し、受信機２が白色光６０を受光し、送信信号を受信することによって可視光通信を行う。図５（ｂ）に示すように白色光源１０の調光率が電球色光源１１（図１参照）の調光率より大きい場合も、白色光源１０からの白色光６０を用いて送信信号を送信することによって可視光通信を行う。
【００３６】
これに対して、図５（ｃ）に示すように電球色光源１１（図１参照）の調光率が白色光源１０（図１参照）の調光率より大きい場合、照明器具１が電球色光源１１からの電球色の光６１を用いて送信信号を送信し、受信機２が電球色の光６１を受光して送信信号を受信することによって可視光通信を行う。図５（ｄ）に示すように電球色光源１１からの電球色の光６１のみが放射されている場合も、電球色の光６１を用いて送信信号を送信することによって可視光通信を行う。
【００３７】
上記より、使用者の嗜好が多様であることから白色光６０及び電球色の光６１の調光の組み合わせが多くなるものの、いずれの組み合わせの場合であっても照明器具１から受信機２に送信情報を送信する可視光通信を行うことができる。
【００３８】
以上、実施形態１によれば、照明器具１において、送信情報を含む送信信号を送信する可視光通信時に、白色光源１０及び電球色光源１１のうち可視光の光出力の大きな光源を用いて可視光通信を行うことによって、可視光通信時と非通信時との間で可視光の光出力の変化を使用者に感じにくくさせることができるので（ウェーバーの法則）、可視光通信を行いながらも使用者にとって違和感のない照明環境を提供することができる。
【００３９】
また、白色光源１０及び電球色光源１１が発振周期制御部１６を共有することができるので、発振周期制御部１６を構成するハードウェアの簡易化を図ることができる。
【００４０】
さらに、白色光源１０及び電球色光源１１の両方が青色発光ダイオードからの青色光の光スペクトルを有するので、青色光の光スペクトルに高い受光感度を持つ受信機２によって、互いに異なる色温度の可視光を放射する白色光源１０及び電球色光源１１の両方に対応することができる。また、受信機２を多くの光スペクトルに対応させる必要がないので、受信機２の構成を簡単にすることができる。
【００４１】
（実施形態２）
本発明の実施形態２について図６を用いて説明する。図６は、実施形態２に係る照明器具の構成を示すブロック図である。
【００４２】
実施形態２となる照明システムは、実施形態１と同様の受信機２（図２参照）を備えるとともに、図６に示すような照明器具１ａを備えている。照明器具１ａは、図６に示すように、白色光源１０と、電球色光源１１と、２つの電源１２，１３とを実施形態１の照明器具１（図１参照）と同様に備えているが、実施形態１の照明器具１にはない以下の特徴部分を有する。
【００４３】
照明器具１ａは、実施形態１の調光制御部１４、スイッチ部１５及び発振周期制御部１６（図１参照）に代えて図６に示すような調光・発振制御部１７を備えているとともに、実施形態１の調光発振部１４１，１４２及び信号発振部１５０，１５１（図１参照）に代えて図６に示すような調光発振部１４１ａ，１４２ａを備えている。調光・発振制御部１７は例えば高機能のマイコンなど１つのユニットで構成され、入力側でリモコン用信号受信部１４０及び可視光通信用信号受信部１６０と接続し、出力側で調光発振部１４１ａ，１４２ａと接続している。この調光・発振制御部１７は実施形態１の調光制御部１４、スイッチ部１５及び発振周期制御部１６と同様の機能を有している。上記より、調光・発振制御部１７は簡易な構成にすることができる。
【００４４】
また、調光発振部１４１ａ，１４２ａは、実施形態１の調光発振部１４１，１４２（図１参照）の機能だけでなく、実施形態１の信号発振部１５０，１５１（図１参照）の機能も必要であるので、どちらにも適用可能な周波数応答性を有している。オンにされた側の調光発振部１４１ａ（１４２ａ）は、調光・発振制御部１７から入力される調光信号を電源１２（１３）からの直流電流Ｉ１（図３（ａ）参照）に重畳し、重畳した電流Ｉ３（図３（ｃ）参照）を白色光源１０（電球色光源１１）に出力する。これに対して、オフ側の調光発振部１４２ａ（１４１ａ）は、電源１３（１２）からの直流電流Ｉ１を調光・発振制御部１７から入力される調光信号に応じてパルス状とし、パルス状の電流Ｉ３（図３（ｄ）参照）を電球色光源１１（白色光源１０）に出力する（図３（ｄ）参照）。なお、照明器具１ａは上記以外の点において実施形態１の照明器具１（図１参照）と同様である。
【００４５】
以上、実施形態２によれば、実施形態１の調光制御部１４、スイッチ部１５及び発振周期制御部１６（図１参照）を調光・発振制御部１７として１つのユニットで構成することができるので、発振周期制御部１６だけでなく調光制御部１４及びスイッチ部１５を構成するハードウェアの簡易化を図ることができる。
【００４６】
なお、実施形態１又は２の変形例として、照明器具１（１ａ）が、白色光源１０及び電球色光源１１ごとに電源１２，１３を備えるのではなく、電源のうち整流平滑部を共通にし、定電流部を白色光源１０及び電球色光源１１ごとに備える構成であってもよい。
【００４７】
実施形態１又は２の他の変形例として、照明器具１（１ａ）が、外部機器５から受信した情報信号に含まれる送信情報を送信するのではなく、内部に設けられた記憶媒体（図示せず）に予め記憶された固定データの送信情報を送信してもよい。
【００４８】
また、実施形態１又は２の他の変形例として、受信機２の受光部２０が、可視光帯域に感度を持つ受光素子と、この受光素子の受光側に設けられ青色光の透過特性を持つ光学フィルタとを備えるものであってもよい。
【００４９】
さらに、実施形態１又は２の他の変形例として、照明器具１（１ａ）が、色温度が異なる２種類の光源を備えることに限定されるものではなく、色温度が異なる３種類以上の光源を備えてもよい。
【００５０】
実施形態１又は２の他の変形例として、可視光は白色光や電球色の光に限定されるものではなく、白色光や電球色の光以外の可視光を放射する光源を白色光源１０や電球色光源１１に代えて備えてもよい。また、白色光や電球色の光以外の可視光を放射する光源を白色光源１０や電球色光源１１とともに備えてもよい。このとき、受信機２の受光部２０として、光源からの可視光に対して受光感度の高いものを備える。
【図面の簡単な説明】
【００５１】
【図１】本発明の実施形態１に係る照明器具の構成を示すブロック図である。
【図２】同上に係る受信機の構成を示すブロック図である。
【図３】同上に係る照明器具において、（ａ）が電流Ｉ１の波形図、（ｂ）が電流Ｉ２の波形図、（ｃ）がオン側の電流Ｉ３の波形図、（ｄ）がオフ側の電流Ｉ３の波形図である。
【図４】同上に係る照明器具において、（ａ）が調光率の高い場合の電流波形図、（ｂ）が調光率の低い場合の電流波形図、（ｃ）が調光率と光出力の関係を示す図である。
【図５】同上の動作を説明するものであって、（ａ）が白色光源のみが点灯した場合の点灯状態図、（ｂ）が白色光源の調光率が電球色光源より高い場合の点灯状態図、（ｃ）が電球色光源の調光率が白色光源より高い場合の点灯状態図、（ｄ）が電球色光源のみが点灯した場合の点灯状態図である。
【図６】本発明の実施形態２に係る照明器具の構成を示すブロック図である。
【符号の説明】
【００５２】
１，１ａ  照明器具
１０  白色光源
１１  電球色光源
１４  調光制御部
１５  スイッチ部
１６  発振周期制御部
１７  調光・発振制御部
２  受信機
【図１】
2008034989.tif 000003
【図２】
2008034989.tif 000004
【図３】
2008034989.tif 000005
【図４】
2008034989.tif 000006
【図５】
2008034989.tif 000007
【図６】
2008034989.tif 000008